(57)【要約】【課題】  本発明は、従来にない作用効果を発揮する画期的な頭蓋骨治療装置を提供することを目的とする。【解決手段】  頭部１に被嵌することで該頭部１の周囲に配設される頭部配設体２と、この頭部配設体２に着脱自在に設けられ、頭蓋骨片３に止着される止着体４から延設される線状部材５を、頭蓋骨片３同志が離れる方向に引動すると共に引動した引動状態を維持する引動維持体16と、更に、頭部配設体２に着脱自在に設けられ前記引動維持体16による線状部材５の引動状態終了後、該引動維持体16から取り外された線状部材５を固定する固定体32とから構成され、この固定体32の前記頭部配設体２の表面からの突出量は、前記引動維持体16の頭部配設体２の表面からの突出量よりも小さく設定されたものである。【選択図】      図１
2006280519.tif 000002
【特許請求の範囲】
【請求項１】
頭部に被嵌することで該頭部の周囲に配設される頭部配設体と、この頭部配設体に着脱自在に設けられ、頭蓋骨片に止着される止着体から延設される線状部材を、頭蓋骨片同志が離れる方向に引動すると共に引動した引動状態を維持する引動維持体と、更に、頭部配設体に着脱自在に設けられ前記引動維持体による線状部材の引動状態終了後、該引動維持体から取り外された線状部材を固定する固定体とから構成され、この固定体の前記頭部配設体の表面からの突出量は、前記引動維持体の頭部配設体の表面からの突出量よりも小さく設定されていることを特徴とする頭蓋骨治療装置。
【請求項２】
請求項１記載の頭蓋骨治療装置において、前記固定体は、頭部配設体に設けられた貫通孔に着脱自在に設けられる構成であり、止着体から延設される線状部材を係止する係止部が設けられていることを特徴とする頭蓋骨治療装置。
【請求項３】
請求項１，２いずれか１項に記載の頭蓋骨治療装置において、前記固定体は、線状部材よりも軟質な素材で形成されていることを特徴とする頭蓋骨治療装置。
【請求項４】
請求項１〜３いずれか１項に記載の頭蓋骨治療装置において、前記固定体は、前記線状部材を巻回して固定する構成であることを特徴とする頭蓋骨治療装置。
【請求項５】
請求項１〜４いずれか１項に記載の頭蓋骨治療装置において、前記固定体には、止着体から延設される線状部材の通過を許容する孔部が設けられていることを特徴とする頭蓋骨治療装置。
【発明の詳細な説明】
【技術分野】
【０００１】
本発明は、頭蓋骨治療装置に関するものである。
【背景技術】
【０００２】
発達期にある小児の頭蓋骨は、頭蓋縫合線を境に複数に分割されており、脳が大きくなる（膨らむ）ことに対応して頭蓋骨も大きくなり（脳が大きくなることで離される頭蓋縫合線の対向端部同志は癒合する（くっつく）方向へ伸び、よって、頭蓋骨も大きくなる。）、脳の発達が完了した時点でこの頭蓋縫合線が癒合する。
【０００３】
ところで、この脳の発達が完了するまでに、頭蓋縫合線の一部、または全部が癒合してしまい、この頭蓋縫合線が癒合した状態で脳の発達が進むことで、脳が圧迫され、更に、頭蓋骨が変形してしまう頭蓋骨早期癒合症がある。
【０００４】
これまで、この頭蓋骨早期癒合症を治療するための頭蓋骨治療装置として次のような装置（以下、従来例）が提案されている。
【０００５】
この従来例は、図15に図示したように頭蓋骨片133の癒合した部分を切り離した各頭蓋骨片133に止着される止着体134と、この各頭蓋骨片133に止着した止着体134の嵌挿部134ａに嵌挿されて該止着体134間に架設状態となるネジ棒135とからなるものであり、このネジ棒135を螺動させることで頭蓋骨片133に止着される止着体134同志を矢印ａ方向に離し、これにより頭蓋骨片133同志が癒合することを防止して頭蓋骨片133同志間の距離を徐々に広げながら脳の発達に支障が無いように頭蓋骨を拡長するものである。
【０００６】
この従来例は、頭蓋骨早期癒合症の治療に限らず、頭蓋骨の奇形治療や骨折治療など、頭蓋骨の治療（骨延長法）に際して広く利用されている。
【発明の開示】
【発明が解決しようとする課題】
【０００７】
しかしながら、本出願人は、この従来例について種々試して見たところ、従来例は、前述したように単なる直線状のネジ棒135に対して止着体134が移動することにより骨片133ａ同志の間隔を調整するという構造上、頭蓋骨片133を頭蓋骨の周面方向（図15矢印ａ方向）に離すだけであって、頭蓋骨片133を頭蓋骨の放射方向へ移動させることができない為、脳の発達に対応した頭蓋骨片133の矯正を良好に行うことができない（球状の丸みを帯びた頭蓋骨となるように矯正できない）という問題点があることを確認した。
【０００８】
そこで、本出願人は、この従来例の問題点を解決する頭蓋骨治療装置を特願２００３−３７３５８５号として提案している。
【０００９】
この頭蓋骨治療装置は、図16に図示したように頭部１にヘルメット状の頭部配設体２を被嵌し、一方、頭蓋骨片３に止着体４を止着し、この止着体４から延設される線状部材５を放射方向に引動して頭蓋骨片３同志を放射方向に移動させ且つ頭蓋骨片３同志を離すことで頭蓋骨を拡長するもので、前記引動状態を維持する引動維持部６は前記頭部配設体２に設けられている。
【００１０】
本出願人は、この頭蓋骨治療装置について更なる研究・開発を進め、従来にない作用効果を発揮する画期的な頭蓋骨治療装置を開発した。
【課題を解決するための手段】
【００１１】
添付図面を参照して本発明の要旨を説明する。
【００１２】
頭部１に被嵌することで該頭部１の周囲に配設される頭部配設体２と、この頭部配設体２に着脱自在に設けられ、頭蓋骨片３に止着される止着体４から延設される線状部材５を、頭蓋骨片３同志が離れる方向に引動すると共に引動した引動状態を維持する引動維持体16と、更に、頭部配設体２に着脱自在に設けられ前記引動維持体16による線状部材５の引動状態終了後、該引動維持体16から取り外された線状部材５を固定する固定体32とから構成され、この固定体32の前記頭部配設体２の表面からの突出量は、前記引動維持体16の頭部配設体２の表面からの突出量よりも小さく設定されていることを特徴とする頭蓋骨治療装置に係るものである。
【００１３】
また、請求項１記載の頭蓋骨治療装置において、前記固定体32は、頭部配設体２に設けられた貫通孔２ａに着脱自在に設けられる構成であり、止着体４から延設される線状部材５を係止する係止部が設けられていることを特徴とする頭蓋骨治療装置に係るものである。
【００１４】
また、請求項１，２いずれか１項に記載の頭蓋骨治療装置において、前記固定体32は、線状部材５よりも軟質な素材で形成されていることを特徴とする頭蓋骨治療装置に係るものである。
【００１５】
また、請求項１〜３いずれか１項に記載の頭蓋骨治療装置において、前記固定体32は、前記線状部材５を巻回して固定する構成であることを特徴とする頭蓋骨治療装置に係るものである。
【００１６】
また、請求項１〜４いずれか１項に記載の頭蓋骨治療装置において、前記固定体32には、止着体４から延設される線状部材５の通過を許容する孔部32ａが設けられていることを特徴とする頭蓋骨治療装置に係るものである。
【発明の効果】
【００１７】
本発明は上述のように構成したから、処置後における頭蓋骨の状態が極めて良好となる質の高い処置を行ない得る画期的な頭蓋骨治療装置となる。
【発明を実施するための最良の形態】
【００１８】
好適と考える本発明の最良の形態を、図面に基づいて本発明の作用効果を示して簡単に説明する。
【００１９】
本発明は、頭部１の周囲に頭部配設体２を配設し、該頭部配設体２に設けた引動維持体16により頭蓋骨片３に止着される止着体４から延設される線状部材５を頭蓋骨片３同志が離れる方向へ引動して該引動状態を維持するから、頭蓋骨片３の癒合は阻止される。
【００２０】
例えば頭蓋骨早期癒合症の処置に際して使用する場合、各頭蓋骨片３同志が離れる方向（頭部１の放射方向）へ引動された状態を維持するから、頭蓋骨片３同志の癒合が阻止され、更に、頭蓋骨片３は、従来例のように２次元方向ではなく、３次元方向に引動されるから、脳の発達方向（膨らむ方向）に合致し、よって、頭蓋骨片３の形状を極めて良好にすることができる。
【００２１】
また、本発明は、この引動維持体16による線状部材５の引動状態終了後、該引動維持16から取り外された線状部材５を固定する固定体32が前記頭部配設体２に着脱自在に設けられ、この固定体32は頭部配設体２に配設した状態において、頭部配設体２の表面から突出する突出量が前記引動維持体16の頭部配設体２の表面からの突出量よりも小さく設定されているから、頭蓋骨片３を引動しない場合（この頭蓋骨早期癒合症の処置は、頭蓋骨片３を引動しその引動状態を維持する延長作業期間と、この延長作業期間後に頭蓋骨片３が元の位置に戻らない程度に頭蓋骨片３を保持固定する固定作業期間とがあり、前者においては引動維持体16を、また、後者においては固定体32を用いる。）、頭部配設体２から突出する引動維持体16（延長作業及び固定作業の双方を行なわせる構成の為、どうしても構造が複雑となって大きくなってしまう。）を取り外しておけば、頭部配設体２から突出する邪魔な突出物がなくなり、それだけ処置を良好に行なえることになる。例えば、この頭蓋骨早期癒合症の処置は、前記の通り、小児に被嵌される訳であるが、頭部配設体２から多数の引動維持体16が突出していると、小児が遊んでいる際などに、この引動維持体16が何かに引っ掛かったりしてしまう問題があるが、この引動維持体16のような突出物がなければこのようなことは生じず、安心してこの処置を施すことが可能となる。
【実施例】
【００２２】
本発明の具体的な実施例について図面に基づいて説明する。
【００２３】
本実施例は、頭部１に被嵌することで該頭部１の周囲に配設される頭部配設体２と、この頭部配設体２に着脱自在に設けられ、頭蓋骨片３に止着される止着体４から延設される線状部材５を、頭蓋骨片３同志が離れる方向に引動すると共に引動した引動状態を維持する引動維持体16と、更に、頭部配設体２に着脱自在に設けられ前記引動維持体16による線状部材５の引動状態終了後、該引動維持体16から取り外された線状部材５を固定する固定体32とから構成され、この固定体32の前記頭部配設体２の表面からの突出量は、前記引動維持体16の頭部配設体２の表面からの突出量よりも小さく設定されたものである。
【００２４】
以下、本実施例に係る構成各部について詳細な説明をする。
【００２５】
頭部配設体２は、図１に図示したように適宜な合成樹脂製の部材を湾曲面状（カゴ状若しくはヘルメット状）に形成したものである。
【００２６】
この頭部配設体２の左右側部には、図２，３に図示したようにその下部後方位置に複数（６個）の孔30ａが並設された杆部材配設体30がリベット31により止着されており、この杆部材配設体30に設けられる孔30ａは頭部配設体２を頭部１に固定するための固定用杆部材13を嵌挿する嵌挿孔30ａとして構成されている。
【００２７】
尚、杆部材配設体30の嵌挿孔30ａに嵌挿された固定用杆部材13は、杆部材配設体30の下面から嵌挿孔30ａに貫通する螺子孔30ｂに螺着する螺子33の圧接により止着される。
【００２８】
この固定用杆部材13は、適宜な金属製の部材を棒状に形成したものであり、その先端部に後述の頭蓋骨の側部に止着される止着部材14の基端部に螺着連結するネジ部13ａが突設されており、頭部配設体２に設けた杆部材配設体30の嵌挿孔30ａに嵌挿させた状態で該止着部材14に螺着し、頭部１に該頭部１に対して所定の間隔を介して被嵌した頭部配設体２を固定する。
【００２９】
尚、止着部材14は後述の止着部形成具18及び穿孔具21を用いて頭蓋骨に穿設した止着穴３ａに止着される。
【００３０】
また、頭部配設体２は、図１，２に図示したようにその表面に多数の貫通孔２ａを有するものであり、図面の場合、この各貫通孔２ａは円形状に設定され、この貫通孔２ａを介して後述の止着体４から延設される線状部材５を頭部配設体２の外部へ引き出すことができる。
【００３１】
この貫通孔２ａの大きさは、どのような大きさでも良いが、線状部材５の取り扱い性や通気性や軽量化を考慮すると貫通孔２ａはなるべく大きい方が良く、しかも、この貫通孔２ａの形状としては、三角形状や四角形状なども良い。
【００３２】
また、この貫通孔２ａは、後述の引動維持体16及び固定体32を着脱自在に止着するための止着孔として構成されている。
【００３３】
引動維持体16は、図４に図示したように適宜な合成樹脂製の部材で形成したものであり、下部に前述した頭部配設体２に設けた貫通孔２ａに止着する嵌挿部25ａを設けた連結本体25と、この連結本体25に直交方向に貫通するネジ孔25ｂに螺着される移動体26とで構成されている。
【００３４】
連結本体25の端部には一対の係止片25ａ’が形成されており、この係止片25ａ’は合成樹脂製故に適度な撓み弾性を有し、該連結本体25の頭部配設体２に設けた貫通孔２ａへの圧入嵌挿係止が良好に行なわれる。
【００３５】
また、移動体26は、その先端部に筒状体26ａが回動自在に被嵌連結されており、この筒状体26ａは後述の止着体４に連結される線状部材５（ワイヤー）を連結する連結部26ａとして構成されている。
【００３６】
従って、移動体26を螺動させると、連結部26ａは回動せずして連結本体25に対して図４中矢印ａ方向に移動することになる。
【００３７】
固定体32は、図５，６に図示したように適宜な合成樹脂製の部材で形成したものであり、基部32Ａに頭部配設体２に設けた貫通孔２ａに圧入嵌挿係止して止着する止着部32Ｂを設けて構成されている。
【００３８】
また、固定体32は、その軸芯部に貫通孔32ａが形成されており、この貫通孔32ａは止着体４から延設される線状部材５の通過を許容する孔部32ａとして構成されている。
【００３９】
従って、この固定体32は、延長作業期間において線状部材５を受けるものとして使用することで頭部配設体２に設けた貫通孔２ａの破損を可及的に防止する保護部材としての機能を発揮する。
【００４０】
固定体32の基部32Ａは、径大フランジ部32ｅの上に径小胴部32Ｃを介して径小フランジ部32ｆが形成されており、この径大フランジ部32ｅには、１８０°間隔で２つの凹溝32ｂが形成されている。この凹溝32ｂ及び径小胴部32ｃは、孔部32ａを通過させた線状部材５を巻回係止するための部位であり、更に、凹溝32ｂは孔部32ａを通過させて引動維持体16に連結される状態の線状部材５をズレ動しないように固定する機能を発揮する。
【００４１】
また、径大フランジ部32ｅの上面は平坦状に形成されており、また、径大フランジ部32ｅ、径小胴部32ｃ及び径小フランジ部32ｆの総高さ、即ち、固定体32を頭部配設体２に配設した際の該頭部配設体２の表面からの突出する部分の高さは可及的に小さくなるように（少なくとも引動維持体16の頭部配設体２の表面からの突出量よりも小さくなるように）設定されている。
【００４２】
固定体32の止着部32Ｂは、図５，６に図示したように基部32Ａの端部に一対の係止片32ｄが形成された構成であり、この係止片32ｄは合成樹脂製故に適度な撓み弾性を有し、該固定体32の頭部配設体２に設けた貫通孔２ａへの圧入嵌挿係止が良好に行なわれる。
【００４３】
止着体４は、図９，10に図示したように適宜な金属製の部材を形成したものであり、その先端部にはスクリュー状の挿入部４ａが形成され、この挿入部４ａを頭蓋骨片３に形成される止着穴３ａに螺入させて止着し得るように構成されている。
【００４４】
また、止着体４は、挿入部４ａの基端部に該挿入部４ａよりも径大で、該挿入部４ａが頭蓋骨片３へ没入することを阻止する球状の径大部４ｂが形成されている。従って、この径大部４ｂの下面にして頭蓋骨片３に当接する当接面は湾曲面となる。
【００４５】
これは、仮に図10に図示したように挿入部４ａ'の基端径大部４ｂ'がフランジ状であった場合、少しでも止着体４'を頭蓋骨片３に傾斜した状態で螺着してしまうと該挿入部４ａ'が十分に頭蓋骨片３へ螺入されないことが生じ得るが、この点、本実施例は、前述した構成を採用することで、その本来の機能（過度挿入阻止機能）を十分に発揮しつつ挿入部４ａは確実に頭蓋骨片３に螺入されることになる（図９，10中の二点鎖線は頭蓋骨片３に対して止着体４，４'を真っ直ぐに螺入した状態を示している。）。
【００４６】
また、この径大部４ｂを球状としたことは、治療後における頭部１から止着体４を外す際にも有効である。
【００４７】
即ち、仮に図10に図示したように挿入部４ａ'の基端径大部４ｂ'がフランジ状であった場合、この径大部４ｂ'の上面が皮膚に引っ掛かる為、頭部１から止着体４を外す際には皮膚を切開する必要があるが、この点、本実施例は、径大部４ｂを球状としたから、この径大部４ｂの上面が皮膚に引っ掛かることはなく、よって、皮膚を切開する必要はなく、止着体４を頭蓋骨片３から外して引き抜くだけで皮膚を可及的に傷めず頭部１から外すことができることになる（患者に与えるダメージを軽減できる。）。
【００４８】
また、止着体４は、その基端部に孔４ｃが形成されており、この孔４ｃは線状部材５（ワイヤー）を連結する連結孔４ｃとして構成されている。
【００４９】
尚、線状部材５として、金属製ワイヤーを採用しているが、この線状部材５とは紐状のものだけに限らず、棒状のものなど広い範囲の概念を含むものである。
【００５０】
この止着体４を頭蓋骨片３に止着する場合には、穿孔具21を使用して頭蓋骨片３に止着穴３ａを形成し、この止着穴３ａに止着体４を止着することになる。
【００５１】
以上の構成から、図７に図示したように頭部配設体２（図７，８においては便宜上、頭部配設体２を方形状に図示した。）に設けられた貫通孔２ａに引動維持体16と固定体32を止着し、この状態で引動維持体16の移動体26を螺動させて後方へ移動させると、止着体４の連結孔４ｃに連結される線状部材５は、該止着体４の上方に位置する頭部配設体２の貫通孔２ａに止着された固定体32（孔部32ａ及び凹溝32ｂ）を経由して引っ張られることになり、よって、止着体４が引動されて頭蓋骨片３が上方（頭部１の放射方向）へ引動され、そして、この引動維持体16の移動を停止すると頭蓋骨片３の引動状態が維持されることになる。
【００５２】
止着部形成具18は、図11に図示したように適宜な金属製の部材を形成したものであり、左右に分割される平面視Ｕ字状の枠状体であって、頭部配設体２の下端部に合致する形状となるように構成されている。
【００５３】
また、止着部形成具18は、その先端部に設けた間隔調整機構19の調節により頭部１の大きさに合わせて大きさを設定することができる（従って、頭部配設体２は頭部１の大きさに合わせたものを使用するが、止着部形成具18は１つ用意するだけで良い。）。
【００５４】
また、止着部形成具18は、その左右の側方直線部に孔20が６個づつ並設されており、この孔20は、前述した頭部配設体２に設けた杆部材配設体30の嵌挿孔30ａと合致する位置に設けられており、頭蓋骨片３に止着部材14を止着する止着穴３ａを形成するための穿孔具21及び止着部材14を回動止着させる回動具22をガイドするガイド孔としての機能を発揮する。
【００５５】
また、止着部形成具18は、更に、その側方部に孔23が形成されており、この孔23は止着部形成具18を頭部１に配設した状態で該止着部形成具18を頭部１に固定する為の固定杆24を嵌挿する嵌挿孔としての機能を発揮する。
【００５６】
具体的に、この止着部形成具18を使用した頭蓋骨片３に対する止着体14の止着方法について説明すると、図12に図示したように頭部１の周囲に止着部形成具18を配して孔23に固定杆24を貫通させ、該固定杆24を頭蓋骨の側部に止着し、該止着部形成具18を所定位置に固定する。この状態で孔20にガイド筒体21ａとドリル21ｂとからなる穿孔具21を嵌挿して頭蓋骨片３の所定位置に止着穴３ａを形成し（図12中（ａ）参照）、この止着穴３ａに回動具22を使用して止着部材14を回動止着し（図12中（ｂ）参照）、その後、この頭蓋骨片３に止着した止着部材14に前述した頭部配設体２に連結される固定用杆部材13を連結する（図12中（ｃ）参照）。
【００５７】
尚、止着部材14は、前述した止着体４と略同構造であり、その基端部には固定用杆部材13の先端部に突設されるネジ部13ａを螺着するネジ穴が形成されている。
【００５８】
以上の構成からなる本実施例を使用した頭蓋骨早期癒合症の処置を説明する。尚、本実施例は、頭蓋骨早期癒合症の処置に限らず、頭蓋骨の奇形治療や骨折治療など、頭蓋骨の治療（骨延長法）に際して広く利用される。
【００５９】
まず、頭皮を切開して癒合した頭蓋骨片３を分割し、この各頭蓋骨片３に線状部材５付きの止着体４を止着する。この止着体４を止着する際には前述したように予め穿孔具21により頭蓋骨片３に形成した止着穴３ａに止着する。
【００６０】
続いて、止着部形成具18を使用して頭蓋骨片３の側部に止着部材14を止着し、頭部配設体２を頭部１に被嵌状態として該止着部材14に固定用杆部材13を連結することで頭部配設体２を固定する。
【００６１】
続いて、止着体４に連設されている線状部材５を該止着体４の真上に位置する頭部配設体２の貫通孔２ａに止着された固定体32を通して外部に引き出し、この固定体32から引き出した部分を頭部配設体２の貫通孔２ａに止着された引動維持体16の移動体26の連結部26ａに連結する。尚、この線状部材５を引動維持体16に連結する時期は、該引動維持体16を頭部配設体２に連結する前でも良い。
【００６２】
続いて、前述のようにセットした各引動維持体16を操作することで止着体４を上方へ引動して、頭蓋骨片３同志を離しながら、該各頭蓋骨片３を頭部１の放射方向へ移動させ（各頭蓋骨片３を放射方向に引動することで、所謂球体の径が大きくなるように頭蓋骨片３同志は離れながら３次元方向へ移動することになる。）、この引動状態を維持することができる（図13参照）。これが頭蓋骨早期癒合症処置の延長作業時期となる。
【００６３】
続いて、延長作業時期が終了した後、引動維持体16による線状部材５の引動状態を終了させ、該引動維持体16から取り外された線状部材５を固定体32に固定して該頭蓋骨片３が元に戻らず頭蓋骨片３同志の癒合が完了するまでこの状態を維持する（図14参照）。これが頭蓋骨早期癒合症処置の固定作業時期となる。
【００６４】
本実施例は上述のように構成したから、各頭蓋骨片３を頭部１の放射方向、即ち、各頭蓋骨片３同志が離れる方向（頭部１の放射方向）へ引動された状態を維持するから、頭蓋骨片３同志の癒合が阻止され、更に、頭蓋骨片３は、従来例のように２次元方向ではなく、３次元方向に引動されるから、脳の発達方向（膨らむ方向）に合致し、よって、頭蓋骨片３の形状を極めて良好にすることができる。
【００６５】
また、本実施例は、この引動維持体16による線状部材５の引動状態終了後、該引動維持体16から取り外された線状部材５を固定する固定体32が頭部配設体２に着脱自在に設けられ、この固定体32は頭部配設体２に配設した状態において、頭部配設体２の表面から突出する突出量が前記引動維持体16の頭部配設体２の表面からの突出量よりも小さく設定されているから、頭蓋骨片３を引動しない場合、頭部配設体２から突出する引動維持体16を取り外しておけば、頭部配設体２から突出する邪魔な突出物がなくなり、それだけ処置を良好に行なえることになる。
【００６６】
また、本実施例は、固定体32は、頭部配設体２に設けられた貫通孔２ａに着脱自在に設けられる構成であり、止着体４から延設される線状部材５を係止する係止部が設けられているから、必要なときだけ頭部配設体２に装着して線状部材５を固定するものとして使用することができる。
【００６７】
また、本実施例は、固定体32は、線状部材５よりも軟質な素材で形成されているから、線状部材５の切断を可及的に防止し得ることになる。
【００６８】
また、本実施例は、固定体32は、線状部材５を巻回して固定する構成であるから、堅固な固定が簡易且つ確実に行なえることになり、しかも、固定体32に固定する線状部材５が固定体32の最上面よりも上方位置に配されることがないから、それだけ頭部配設体２から不要な突出物が生じるのを抑制することができる。
【００６９】
また、本実施例は、固定体32は、止着体４から延設される線状部材５の通過を許容する孔部32ａが設けられているから、引動維持体16における延長作業期間においても線状部材５が経由する部位として使用することで、線状部材５が頭部配設体２に直接触れることがないから、合成樹脂製の頭部配設体２が破損してしまうのを可及的に防止し得ることになる。
【００７０】
尚、本発明は、本実施例に限られるものではなく、各構成要件の具体的構成は適宜設計し得るものである。
【図面の簡単な説明】
【００７１】
【図１】本実施例を示す概略説明斜視図である。
【図２】本実施例に係る要部の説明図である。
【図３】本実施例に係る要部の説明図である。
【図４】本実施例に係る要部を示す斜視図である。
【図５】本実施例に係る要部を示す斜視図である。
【図６】本実施例に係る要部を示す正面図である。
【図７】本実施例に係る要部の参考説明図である。
【図８】本実施例に係る要部の参考説明図である。
【図９】本実施例に係る止着体４の説明図である。
【図１０】本実施例に係る止着体４の比較対照物の説明図である。
【図１１】本実施例に係る要部を示す斜視図である。
【図１２】本実施例に係る要部の概略動作説明図である。
【図１３】本実施例の使用状態説明図である。
【図１４】本実施例の使用状態説明図である。
【図１５】従来例の使用状態説明図である。
【図１６】本出願人が提案する特願２００３−３７３５８５号の使用状態説明図である。
【符号の説明】
【００７２】
１  頭部
２  頭部配設体
２ａ  貫通孔
３  頭蓋骨片
４  止着体
５  線状部材
16  引動維持体
32  固定体
32ａ  孔部
【図１】
2006280519.tif 000003
【図２】
2006280519.tif 000004
【図３】
2006280519.tif 000005
【図４】
2006280519.tif 000006
【図５】
2006280519.tif 000007
【図６】
2006280519.tif 000008
【図７】
2006280519.tif 000009
【図８】
2006280519.tif 000010
【図９】
2006280519.tif 000011
【図１０】
2006280519.tif 000012
【図１１】
2006280519.tif 000013
【図１２】
2006280519.tif 000014
【図１３】
2006280519.tif 000015
【図１４】
2006280519.tif 000016
【図１５】
2006280519.tif 000017
【図１６】
2006280519.tif 000018